(57)【要約】    【課題】  原稿をスキャンした画像ファイルと元の原稿とを容易に照合することができる多機能印刷装置を多機能印刷装置及びその制御方法、並びにプログラム及び記憶媒体を提供する。    【解決手段】  スキャンデータ綴じ込み処理システムは、多機能印刷装置１００と、情報処理装置１０２と、例えばパーソナルコンピュータである情報端末１０４とを備える。多機能印刷装置１００は、さらに、サーバ１０２に接続されたデータベースシステム１０３を備える。多機能印刷装置１００は、複数の帳票原稿をスキャンして、スキャン画像及び付加情報をＨＤＤ３０５に保存し、スキャン帳票原稿をスキャン原稿排出口２０５からフィニッシャ２０４に送った後、スキャン概要データを出力用紙に印刷して、この印刷したスキャン概要データ出力用紙６００をフィニッシャ２０４に送り、フィニッシャ２０４によりスキャン概要データ出力用紙６００を表紙として帳票原稿を綴じ込む。【選択図】      図４
2006345418.tif 000002
【特許請求の範囲】
【請求項１】
原稿を複数枚スキャンするスキャナと、前記スキャンされた原稿複数枚分の画像データの識別情報を含むスキャン概要データをスキャン概要データ出力用紙として印刷するプリンタと、前記印刷されたスキャン概要データ出力用紙と前記スキャンされた複数枚の原稿とを一緒に綴じ込む綴じ込み手段とを備えることを特徴とする多機能印刷装置。
【請求項２】
前記画像データの識別情報を情報処理装置に送信する送信手段を備えることを特徴とする請求項１記載の多機能印刷装置。
【請求項３】
前記綴じ込み手段は、前記綴じ込みを、識別ＩＤをもつＩＤタグ付きクリップで行うことを特徴とする請求項１又は２記載の多機能印刷装置。
【請求項４】
前記識別ＩＤを情報処理装置に送信する他の送信手段を備えることを特徴とする請求項３に記載の多機能印刷装置。
【請求項５】
原稿を複数枚スキャンするスキャナと、前記スキャンされた原稿複数枚分の画像データの識別情報を含むスキャン概要データをスキャン概要データ出力用紙として印刷するプリンタと、前記スキャンされた複数枚の原稿及び前記印刷されたスキャン概要データ出力用紙を出力トレイに移送する移送手段とを備えることを特徴とする多機能印刷装置。
【請求項６】
原稿を複数枚スキャンするスキャナと、前記スキャンされた原稿複数枚分の画像データの識別情報を含むスキャン概要データをスキャン概要データ出力用紙として印刷するプリンタとを備える多機能印刷装置の制御方法であって、
前記印刷されたスキャン概要データ出力用紙と前記スキャンされた複数枚の原稿とを一緒に綴じ込む綴じ込みステップを含むことを特徴とする多機能印刷装置の制御方法。
【請求項７】
前記画像データの識別情報を情報処理装置に送信する送信ステップを含むことを特徴とする請求項６記載の制御方法。
【請求項８】
前記綴じ込みステップは、前記綴じ込みを、識別ＩＤをもつＩＤタグ付きクリップで行うことを特徴とする請求項６又は７記載の制御方法。
【請求項９】
前記識別ＩＤを情報処理装置に送信する他の送信ステップを含むことを特徴とする請求項８に記載の制御方法。
【請求項１０】
原稿を複数枚スキャンするスキャナと、前記スキャンされた原稿複数枚分の画像データの識別情報を含むスキャン概要データをスキャン概要データ出力用紙として印刷するプリンタとを備える多機能印刷装置の制御方法であって、
前記スキャンされた複数枚の原稿及び前記印刷されたスキャン概要データ出力用紙を出力トレイに移送する移送ステップを含むことを特徴とする制御方法。
【請求項１１】
原稿を複数枚スキャンするスキャナと、前記スキャンされた原稿複数枚分の画像データの識別情報を含むスキャン概要データをスキャン概要データ出力用紙として印刷するプリンタとを備える多機能印刷装置の制御プログラムであって、
前記印刷されたスキャン概要データ出力用紙と前記スキャンされた複数枚の原稿とを一緒に綴じ込む綴じ込みモジュールを多機能印刷装置に実行させることを特徴とする制御プログラム。
【請求項１２】
原稿を複数枚スキャンするスキャナと、前記スキャンされた原稿複数枚分の画像データの識別情報を含むスキャン概要データをスキャン概要データ出力用紙として印刷するプリンタとを備える多機能印刷装置の制御プログラムであって、
前記スキャンされた複数枚の原稿及び前記印刷されたスキャン概要データ出力用紙を出力トレイに移送する移送モジュールを多機能印刷装置に実行させることを特徴とする制御プログラム。
【請求項１３】
請求項１１記載の制御プログラムを格納することを特徴とするコンピュータ読取り可能な記憶媒体。
【請求項１４】
請求項１２記載の制御プログラムを格納することを特徴とするコンピュータ読取り可能な記憶媒体。
【発明の詳細な説明】
【技術分野】
【０００１】
本発明は、多機能印刷装置及びその制御方法、並びにプログラム及び記憶媒体に関し、特に、原稿をスキャンし、スキャンデータのスキャン概要データを印刷し、印刷したスキャン概要データを原稿と共に綴じ込む多機能印刷装置及びその制御方法、並びにプログラム及び記憶媒体に関する。
【背景技術】
【０００２】
従来、手書きの帳票原稿をパーソナルコンピュータで処理するシステムを構築する場合、オフィス複合機、ドキュメントスキャナ等を用いて帳票原稿をスキャンし、得られた画像データをコンピュータに送信し、このコンピュータで処理を行うのが一般的である。この場合、オフィス複合機、ドキュメントスキャナからコンピュータにファイルを送信する方式としては、共有フォルダ、ＦＴＰ（File Transfer Protocol）、ドキュメント管理ソフトウェア等を利用する方式が一般的である（例えば、特許文献１参照）。
【０００３】
一方、特許文献２には、電子文書を印刷した際に、印刷物の管理情報（保管場所、保管責任者等）をユーザに入力させることによって、電子文書と印刷物との関連付けを行う技術が開示されている。
【特許文献１】特開平０８−１４７４４５号公報
【特許文献２】特開平０８−１８００４５号公報
【発明の開示】
【発明が解決しようとする課題】
【０００４】
しかしながら、従来の方式の場合、帳票原稿をスキャンして一度電子データにした後は、一般に、スキャン結果が画像ファイルとして保存されるが、その画像ファイルがどの帳票原稿（原本）をスキャンしたものなのかを識別することができず、スキャン画像ファイルに対応するスキャン元の帳票原稿（原本）を特定する必要がある場合に、画像ファイルの帳票原稿記載内容と帳票原稿を一つずつ見比べて探索しなければならない。
【０００５】
そのため、例えば、多量の帳票原稿を一度にスキャンして、多数の画像ファイルが一度に作成される場合、スキャン操作をしているユーザは、どのような画像ファイルが生成されてコンピュータに送信されたかを確認することができず、また、作成された画像ファイル等にスキャンミスがあったか、又は帳票原稿の未スキャン等があった場合、コンピュータ上で処理するユーザがミスに気付き、それからスキャン元の帳票原稿を特定するのは手間がかかり、処理が後戻りになるため効率的でない。
【０００６】
一方、特許文献２の技術は、電子文書を印刷する際に関連付けるものであり、スキャン文書に対する処理は考慮されていない。更に、ユーザが情報を入力する必要があり、手間が掛かる。
【０００７】
本発明の目的は、原稿をスキャンした画像ファイルと元の原稿とを容易に照合することができる多機能印刷装置を多機能印刷装置及びその制御方法、並びにプログラム及び記憶媒体を提供することにある。
【課題を解決するための手段】
【０００８】
上記目的を達成するために、請求項１記載の多機能印刷装置は、原稿を複数枚スキャンするスキャナと、前記スキャンされた原稿複数枚分の画像データの識別情報を含むスキャン概要データをスキャン概要データ出力用紙として印刷するプリンタと、前記印刷されたスキャン概要データ出力用紙と前記スキャンされた複数枚の原稿とを一緒に綴じ込む綴じ込み手段とを備えることを特徴とする。
【０００９】
請求項５記載の多機能印刷装置は、原稿を複数枚スキャンするスキャナと、前記スキャンされた原稿複数枚分の画像データの識別情報を含むスキャン概要データをスキャン概要データ出力用紙として印刷するプリンタと、前記スキャンされた複数枚の原稿及び前記印刷されたスキャン概要データ出力用紙を出力トレイに移送する移送手段とを備えることを特徴とする。
【００１０】
請求項６記載の制御方法は、原稿を複数枚スキャンするスキャナと、前記スキャンされた原稿複数枚分の画像データの識別情報を含むスキャン概要データをスキャン概要データ出力用紙として印刷するプリンタとを備える多機能印刷装置の制御方法であって、前記印刷されたスキャン概要データ出力用紙と前記スキャンされた複数枚の原稿とを一緒に綴じ込む綴じ込みステップを含むことを特徴とする。
【００１１】
請求項１０記載の制御方法は、原稿を複数枚スキャンするスキャナと、前記スキャンされた原稿複数枚分の画像データの識別情報を含むスキャン概要データをスキャン概要データ出力用紙として印刷するプリンタとを備える多機能印刷装置の制御方法であって、前記スキャンされた複数枚の原稿及び前記印刷されたスキャン概要データ出力用紙を出力トレイに移送する移送ステップを含むことを特徴とする。
【００１２】
請求項１１記載の制御プログラムは、原稿を複数枚スキャンするスキャナと、前記スキャンされた原稿複数枚分の画像データの識別情報を含むスキャン概要データをスキャン概要データ出力用紙として印刷するプリンタとを備える多機能印刷装置の制御プログラムであって、前記印刷されたスキャン概要データ出力用紙と前記スキャンされた複数枚の原稿とを一緒に綴じ込む綴じ込みモジュールを多機能印刷装置に実行させることを特徴とする。
【００１３】
請求項１２記載の制御プログラムは、原稿を複数枚スキャンするスキャナと、前記スキャンされた原稿複数枚分の画像データの識別情報を含むスキャン概要データをスキャン概要データ出力用紙として印刷するプリンタとを備える多機能印刷装置の制御プログラムであって、前記スキャンされた複数枚の原稿及び前記印刷されたスキャン概要データ出力用紙を出力トレイに移送する移送モジュールを多機能印刷装置に実行させることを特徴とする。
【００１４】
請求項１３記載の記憶媒体は、請求項１１記載の制御プログラムを格納することを特徴とする。
【００１５】
請求項１４記載の記憶媒体は、請求項１２記載の制御プログラムを格納することを特徴とする。
【発明の効果】
【００１６】
本発明によれば、印刷されたスキャン概要データ出力用紙を表紙として前記スキャンされた複数枚の原稿を綴じ込むので、原稿をスキャンした画像ファイルと元の原稿とを容易に照合することができる。
【００１７】
本発明によれば、スキャンされた複数枚の原稿及び前記印刷されたスキャン概要データ出力用紙を出力トレイに移送するので、操作者がスキャン概要データ出力用紙を表示として帳票原稿を綴じ込むのを容易に行うことができ、もって原稿をスキャンした画像ファイルと元の原稿とを容易に照合することができる。
【発明を実施するための最良の形態】
【００１８】
以下、本発明の実施の形態を図面を用いて詳述する。
【００１９】
図１は、本発明の実施の形態に係る多機能印刷装置を備えるスキャンデータ綴じ込み処理システムの構成を概略的に示す図である。
【００２０】
図１のスキャンデータ綴じ込み処理システムは、多機能印刷装置（以下、「ＭＦＰ」という）１００と、情報処理装置（以下、「サーバ」という）１０２と、例えばパーソナルコンピュータである情報端末１０４とを備え、これらは論理的なネットワーク１０１を介して互いに接続されている。多機能印刷装置１００は、さらに、サーバ１０２に接続されたデータベースシステム１０３を備える。データベースシステム１０３は、ファイルストレージシステムに代えることができる。
【００２１】
図２は、図１におけるＭＦＰ１００の構成を概略的に示す正面図である。
【００２２】
図２のＭＦＰ１００は、ＭＦＰ本体２００と、ＭＦＰ本体２００の上に載置された原稿自動送り部（以下、「オートフィーダ」という）２０１とを備える。オートフィーダ２０１は、原稿積載部２０２と、原稿積載部２０２の下方に配された第１のスキャン原稿排出口２０３と、側部に設けられた第２のスキャン原稿排出口２０５とを備える。ＭＦＰ本体２００は、オートフィーダ２０１から送られた原稿をスキャンするスキャナと、スキャンデータを印刷用紙に印刷するプリンタとを備え、さらに、側部に印刷用紙排出口０２６を有する。
【００２３】
ＭＦＰ１００は、また、ＭＦＰ本体２００の側部に、スキャン原稿排出口２０３からのスキャン原稿を受容すると共に、印刷用紙排出口２０６からの印刷用紙を受容する出力仕上げ部（以下、「フィニッシャ」という）２０４と、フィニッシャ２０４に取り付けられた出力トレイ２０７とを備える。
【００２４】
図３は、図２におけるＭＦＰ本体２００の内部構成を概略的に示すブロック図である。
【００２５】
図３において、ＭＦＰ本体２００は、操作者に対しユーザインタフェースを提供するディスプレイ・タッチパネル部３００と、ネットワークを介して外部機器と通信を行うネットワークインタフェース部３０１と、ＭＦＰ１００の制御プログラム及びデータを格納するＲＯＭ３０３と、ＭＦＰ１００の制御プログラムを実行するＣＰＵ３０２と、ＭＦＰ１００が演算時等に利用する一時メモリ領域であるＲＡＭ３０４と、スキャン画像データを記憶する大容量記憶領域のＨＤＤ３０５とを備え、これらは入出力インタフェース３０６を介して互いに接続されている。ディスプレイ・タッチパネル部３００は、通常のスキャンモードとスキャン概要データ印刷モードのいずれかを選択することができる。
【００２６】
図４は、図１のスキャン概要データ綴じ込み処理システムによって実行されるスキャン概要データ綴じ込み処理の手順を示すフローチャートである。
【００２７】
図４において、まず、操作者がスキャンすべき帳票原稿をオートフィーダ２０１にセットすると（ステップＳ１０１）、ＭＦＰ本体２００は、原稿綴じ込みモードか否かを操作者に訊ねるメッセージをディスプレイ・タッチパネル部３００に表示して、操作者がディスプレイ・タッチパネル部３００の操作により原稿綴じ込みモードを選択すると（ステップＳ１０２でＹＥＳ）、ＭＦＰ本体部２００は、指示を受けた後、操作者にスキャン開始準備が整ったことをディスプレイ・タッチパネル部３００に表示してスキャン開始の指示を促し、操作者は、ディスプレイ・タッチパネル部３００の操作によりスキャン「開始」を指示する（ステップＳ１０３）。
【００２８】
次いで、ＭＦＰ１００は、帳票原稿の１枚をオートフィーダ２０１によりスキャナへ自動送りし、スキャナによりスキャナ画像データを読み込み、ＨＤＤ３０５の記憶領域に画像ファイルとして保存し（ステップＳ１０４）、オートフィーダ２０１は、スキャンが完了した原稿を、フィニッシャ２０４側のスキャン原稿排出口２０５からフィニッシャ２０４に送る（ステップＳ１０５）。
【００２９】
オートフィーダ２０１は、残りの帳票原稿が存在するか否かを検出し（ステップＳ１０６）、残りの帳票原稿を検出したときは、予め設定されているファイリング単位枚数、例えば１０枚等に達するまで（ステップＳ１０８でＮＯ）、ステップＳ１０４以降の処理を繰り返し、予め設定されているファイリング単位枚数、例えば１０枚等に達したときは（ステップＳ１０８でＹＥＳ）、スキャン概要データを出力用紙に印刷し、印刷したスキャン概要データ印刷用紙６００をフィニッシャ２０４に送る（ステップＳ１０９）。
【００３０】
ステップＳ１０６の検出で、残りの帳票原稿が存在しないときは、直ちに、終了フラグをtrueにセットして（ステップＳ１０７）、ステップＳ１０９に進んで、スキャン概要データを出力用紙に印刷し、印刷したスキャン概要データ印刷用紙６００をフィニッシャ２０４に送る。
【００３１】
ステップＳ１０９では、ＭＦＰ本体２００は、図５に示すスキャン概要データ出力用紙６００を印刷して印刷紙排出口２０６からフィニッシャ２０４に送る。このスキャン概要データ出力用紙６００は、用紙上部の共通情報エリア６０１に、例えばスキャンしたＭＦＰマシン名、年月日・日時、ユーザ名、通し番号の範囲等の共通情報（ファイリング単位の個別の識別情報）を印刷し、ＨＤＤ３０５に保存された単数又は複数の画像ファイルから作成された縮小画像６０２を２コラム３段の配置して印刷し、さらに、各縮小画像６０２の右隣の情報エリア６０３に、例えば画像ファイル名、ファイルサイズ、原稿サイズ、通し番号等の各画像ファイル固有の付加情報を印刷する。このとき、共通情報エリア６０１は、ファイリング単位固有の識別情報、例えば「MFP７号機 2004/06/17ファイルNo.07」を含む。
【００３２】
次いで、フィニッシャ２０４は、スキャン概要データ出力用紙６００を表紙とし、ステップＳ１０５で送られた帳票原稿を読み込み順にソートし、所定の綴じ込み手段により綴じ込みを行い、出力トレイ２０７に送る（ステップＳ１１０）。この綴じ込みは、ＩＣタグ付きのクリップで行われてもよく、その場合は、このクリップのＩＣタグ固有のＩＤ情報をメモリ等の記録領域に保持する。
【００３３】
続くステップＳ１１１では、終了フラグがtrueであるか否かを判別し、trueでないときは、ステップＳ１０４以降の処理を繰り返し、trueであるときは、操作者がディスプレイ・タッチパネル部３００でサーバ１０２へのデータ送信を開始することを確認した後、複数のスキャン画像データと画像ファイル名と原稿ファイルロケーションとをサーバ１０２へ送信して（ステップＳ１１２）、本処理を終了する。
【００３４】
ステップＳ１１２では、共通情報エリア６０１に出力されたファイリング単位の個別の識別情報を付加情報データとして送信し、このときの送信データは、サーバ１０２によって、データベースシステム１０３に図６のテーブル４００のように保存される。図６のデータは、スキャン画像データに付けられる画像ファイル名と、該画像ファイル名に対応する原稿ファイルロケーションとを含む。
【００３５】
ステップＳ１１０における綴じ込みが、ＩＣタグ付きのクリップで行われた場合は、ステップＳ１１２では、ＩＣタグ固有のＩＤ情報を付加情報データとして送信し、このときの送信データは、サーバ１０２によって、データベースシステム１０３に図７のテーブル５００のように保存される。図７のデータは、スキャン画像データに付与された画像ファイル名と、該画像ファイル名に対応するクリップのＩＣタグの固有ＩＤとを含む。
【００３６】
図４の処理によれば、複数の帳票原稿をスキャンして、スキャン画像及び付加情報をＨＤＤ３０５に保存し（ステップＳ１０４）、スキャン帳票原稿をスキャン原稿排出口２０５からフィニッシャ２０４に送った（ステップＳ１０５）後、スキャン概要データを出力用紙に印刷して、この印刷したスキャン概要データ出力用紙６００をフィニッシャ２０４に送り（ステップＳ１０９）、フィニッシャ２０４によりスキャン概要データ出力用紙６００を表紙として帳票原稿を綴じ込む（ステップＳ１１０）ので、帳票原稿をスキャンした画像ファイルと元の帳票原稿とを容易に照合することができる。
【００３７】
図８は、図４のスキャン概要データ綴じ込み処理の変形例の手順を示すフローチャートである。
【００３８】
図８において、まず、操作者がスキャンすべき帳票原稿をオートフィーダ２０１にセットすると（ステップＳ２０１）、ＭＦＰ本体２００は、原稿綴じ込みモードか否かを操作者に訊ねるメッセージをディスプレイ・タッチパネル部３００に表示して、操作者がディスプレイ・タッチパネル部３００の操作により原稿綴じ込みモードを選択すると（ステップＳ２０２でＹＥＳ）、ＭＦＰ本体２００は、操作者にスキャン開始準備が整ったことをディスプレイ・タッチパネル部３００に表示してスキャン開始の指示を促し、操作者は、ディスプレイ・タッチパネル部３００の操作によりスキャンの開始を指示する（ステップＳ２０３）。
【００３９】
次いで、ＭＦＰ１００は、帳票原稿の１枚をオートフィーダ２０１によりスキャナへ自動送りし、スキャナによりスキャナ画像データを読み込み、ＨＤＤ３０５の記憶領域に画像ファイルとして保存し（ステップＳ２０４）、オートフィーダ２０１は、残りの帳票原稿が存在するか否かを検出し（ステップＳ２０５）、残りの帳票原稿を検出したときは、予め設定されているファイリング単位枚数、例えば１０枚等に達するまで（ステップＳ２０７でＮＯ）、ステップＳ２０４以降の処理を繰り返し、予め設定されているファイリング単位枚数、例えば１０枚等に達したときは（ステップＳ２０７でＹＥＳ）、スキャン概要データを出力用紙に印刷し、この印刷したスキャン概要データ印刷用紙６００（図５）をフィニッシャ２０４を経て出力トレイ２０７に移送する（ステップＳ２０８）。
【００４０】
ステップＳ２０５の検出で、残りの帳票原稿が存在しないときは、直ちに、終了フラグをtrueにセットして（ステップＳ２０６）、ステップＳ２０８に進んで、スキャン概要データを出力用紙に印刷し、この印刷したスキャン概要データ印刷用紙６００（図５）をフィニッシャ２０４を経て出力トレイ２０７に移送する。
【００４１】
続くステップＳ２０９では、操作者がスキャン概要データ出力用紙６００と帳票原稿を綴じ込み（ステップＳ２０９）、出力トレイがトレイ上のスキャン概要データ出力用紙６００が除去されたことを検出すると（ステップＳ２１０でＹＥＳ）、終了フラグがtrueであるか否かを判別し（ステップＳ２１２）、trueでないときは、スキャン「再開」操作を行った（ステップＳ２１１）上で、ステップＳ２０４以降の処理を繰り返し、trueであるときは、操作者がディスプレイ・タッチパネル部３００でサーバ１０２へのデータ送信を開始することを確認した後、複数のスキャン画像データと画像ファイル名と原稿ファイルロケーションとをサーバ１０２へ送信して（ステップＳ２１３）、本処理を終了する。ステップＳ２１３の送信は、前述の図４のステップＳ１１２と同様に行われる。
【００４２】
図８の処理によれば、複数の帳票原稿をスキャンして、スキャン画像及び付加情報をＨＤＤ３０５に保存し（ステップＳ２０４）、スキャン帳票原稿をスキャン原稿排出口２０５からフィニッシャ２０４に送った（ステップＳ２０５）後、スキャン概要データを出力用紙に印刷して、この印刷したスキャン概要データ出力用紙６００をフィニッシャ２０４を経て出力トレイ２０７に移送する（ステップＳ２０８）ので、操作者がスキャン概要データ出力用紙６００を表紙として帳票原稿を綴じ込むのを容易に行うことができ（ステップＳ２０９）、もって帳票原稿をスキャンした画像ファイルと元の帳票原稿とを容易に照合することができる。
【００４３】
また、本発明の目的は、実施の形態の機能を実現するソフトウェアのプログラムコードを記録した記憶媒体を、システム或いは装置に供給し、そのシステム或いは装置のコンピュータ（又はＣＰＵやＭＰＵ等）が記憶媒体に格納されたプログラムコードを読み出して実行することによっても達成される。
【００４４】
この場合、記憶媒体から読み出されたプログラムコード自体が前述した実施の形態の機能を実現することになり、そのプログラムコードを記憶した記憶媒体は本発明を構成することになる。
【００４５】
又、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしても良い。
【００４６】
又、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施形態の機能が実現される場合も含まれる。
【００４７】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれる。
【図面の簡単な説明】
【００４８】
【図１】本発明の実施の形態に係る多機能印刷装置を備えるスキャン概要データ綴じ込み処理システムの構成を概略的に示す図である。
【図２】図１におけるＭＦＰの構成を概略的に示す正面図である。
【図３】図２におけるＭＦＰ本体の内部構成を概略的に示すブロック図である。
【図４】図１におけるＭＦＰによって実行されるスキャン概要データ綴じ込み処理の手順を示すフローチャートである。
【図５】図４のステップＳ１０９で送信されるスキャン概要データ出力用紙の印刷内容を説明する図である。
【図６】図４のステップＳ１１２で送信される付加情報データを説明する図である。
【図７】図４のステップＳ１１２で送信される付加情報データを説明する図であり、ステップＳ１１０における綴じ込みがＩＣタグ付きのクリップで行われた場合を示す。
【図８】図４のスキャン概要データ綴じ込み処理の変形例の手順を示すフローチャートである。
【符号の説明】
【００４９】
１００  多機能印刷装置
１０１  ネットワーク
１０２  サーバ
１０３  データベースシステム
１０４  情報端末
２００  ＭＦＰ本体
２０１  オートフィーダ
２０４  フィニッシャ
２０６  印刷紙排出口
２０７  出力トレイ
６００  スキャン概要データ出力用紙
【図１】
2006345418.tif 000003
【図２】
2006345418.tif 000004
【図３】
2006345418.tif 000005
【図４】
2006345418.tif 000006
【図５】
2006345418.tif 000007
【図６】
2006345418.tif 000008
【図７】
2006345418.tif 000009
【図８】
2006345418.tif 000010